(57)【特許請求の範囲】
【請求項１】
水底の支持地盤に設置した導材用杭に合わせ、クレーンにて鋼管矢板杭を吊込み、振動式杭打機に前記鋼管矢板杭の上端部を連結して鋼管矢板杭の一次打込みを行った後、以下の施工手順により二次打込みを行って打設を完了させることを特徴とする水中鋼管矢板杭の打設方法。
（１）クレーンに吊下した振動式杭打機に、ウォータジェット用の配管を設けた内挿管を連結し、前記一次打込み後の鋼管矢板杭に挿入して打下げる。
（２）前記内挿管を打止めし、前記振動式杭打機とウォータジェットを併用して前記鋼管矢板杭の上端まで内挿管を自沈させる。
（３）振動式杭打機の把持手段にて、内挿管と鋼管矢板杭とを把持する。
（４）振動式杭打機とウォータジェットを併用し、所定位置まで水中打設する。
（５）内挿管と鋼管矢板杭を打止めし、振動式杭打機の把持を解放する。
（６）振動式杭打機の把持手段にて内挿管のみを把持し、振動式杭打機とともに内挿管を引き上げる。
（７）前記（１）〜（６）を繰り返し、水中鋼管矢板杭を打設する。
【請求項２】
前記振動式杭打機には、水中対応型の油圧バイブロハンマーを用いたことを特徴とする請求項１記載の水中鋼管矢板杭の打設方法。
【発明の詳細な説明】
【０００１】
【発明の属する技術分野】
この発明は、砂質地盤等での水中鋼管矢板杭の打設方法に関する。
【０００２】
【従来の技術】
一般に、砂質地盤で水中土留鋼管矢板杭を打設する場合には、同地盤に貫入する前記杭に直接ウォータジェット用の噴射パイプを設け、クレーンに吊下したバイブロハンマーと前記ウォータジェットにより打ち込んで行き、水面下ではヤットコを使用して打設しているのが普通である。そして、前記杭の打設が完了した後は、前記噴射パイプのみを撤収するか、あるいは杭とともに前記地盤中に埋殺しにしている。
【０００３】
【発明が解決しようとする課題】
しかし、前記従来工法による水中鋼管矢板杭の打設方法では次のような問題点が提起されていた。
（１）打設する全ての鋼管矢板杭にウォータジェット用の配管を施す必要があり、工費がかかる。
（２）水面下ではヤットコを使用するため、鋼管矢板杭との取付け・撤去等に時間がかかり、工期が長くなる。
（３）ヤットコを使用すると、取り外しの際に水中切断等の作業が発生し、施工管理が困難となる。
【０００４】
そこで、この発明は、前記した問題点を解消するべく、打設の際の打込機械に水中対応型の油圧バイブロハンマーを使用し、鋼管矢板杭に挿入するウォータジェット用の配管を設けた挿入管を製作することにより、水中土留鋼管矢板杭を短期間で安価に打設することを目的とするものである。
【０００５】
【課題を解決するための手段】
上記目的を達成するため、この発明では、水中鋼管矢板杭の打設を次のような方法で行うようにした。
まず、水底支持地盤に設置した導材用杭に合わせ、クレーンにて鋼管矢板杭を吊り込む。そして、クレーンに吊下した振動式杭打機に前記鋼管矢板杭の上端部を連結して鋼管矢板杭の一次打込みを行った後、以下の施工手順により二次打込みを行い、打設を完了させるようにした。
▲１▼クレーンに吊下した振動式杭打機に、ウォータジェット用の配管を設けた内挿管を連結し、前記一次打込み後の鋼管矢板杭に挿入して打下げる。
▲２▼前記内挿管を打止めし、前記振動式杭打機とウォータジェットを併用して前記鋼管矢板杭の上端まで内挿管を自沈させる。
▲３▼振動式杭打機の把持手段で内挿管と鋼管矢板杭を把持する。
▲４▼振動式杭打機とウォータジェットを併用し、所定位置まで水中打設する。
▲５▼内挿管と鋼管矢板杭を打止めし、振動式杭打機の把持を解放する。
▲６▼振動式杭打機の把持手段にて内挿管のみを把持し、振動式杭打機とともに内挿管を引き上げる。
▲７▼前記▲１▼〜▲６▼を繰り返し、水中鋼管矢板杭を打設する。
【０００６】
また、前記振動式杭打機には、水中対応型の油圧バイブロハンマーを用いたものである。
【０００７】
【発明の実施の形態】
次に添付図面に基づき、この発明による具体例を説明する。
まず、この発明による水中鋼管矢板杭の打込み実施概要を図１，図２により説明する。図１は、この発明に先行して行う水中鋼管矢板杭の一次打込みを示す説明図、図２は、この発明の施工方法による二次打込みを示す説明図である。
【０００８】
図１に示すように、予め水底の地盤Ｇに導材用杭２０を設置しておき、この導材用杭２０に合わせてクレーン船にて鋼管矢板杭１９を吊込み、水中対応型の油圧バイブロハンマー１７で屏風状に一次打込みを行う。この場合は、打止め高さを水面＋２メートル程度とした。なお、図の左下に示す地盤Ｇに深く打込まれた鋼管矢板杭群は、打設完了時の状態を示しているものである。（この打設完了時の鋼管矢板杭１９の上端部は水面から９メートル程度下とし、下端部は２９メートル程度下とした。）
【０００９】
前述の一次打込みが完了後、この発明による二次打込みである。図２に示すように、（Ａ），（Ｂ），（Ｃ）の順序で打込んで行く。（Ａ）はウォータジェット用の配管を設けた内挿管１０と水中対応型の油圧バイブロハンマー１７とを連結し、鋼管矢板杭１９内に挿入しようとしている状態であり、（Ｂ）は前記内挿管１０を前記水中対応型の油圧バイブロハンマー１７とウォータジェットにより、鋼管矢板杭１９内に打込んでいる状態である。そして、（Ｃ）の段階に至り、前記水中対応型の油圧バイブロハンマー１７で鋼管矢板杭１９と内挿管１０とを重ねチャッキングし、水中対応型の油圧バイブロハンマー１７とウォータジェットを併用して打下げて行くのである。なお、図示の左下は、図１にも示した二次打込み完了後の鋼管矢板杭群である。
【００１０】
次に、図３，図４，図５により、この発明による鋼管矢板杭内に挿入する内挿管の構成と打設方法の詳細を説明する。
図３は、この発明による鋼管矢板杭の二次打込みにおける施工手順を示すフロー図、図４は、一次打込みが完了した鋼管矢板杭に内挿管を挿入しようとしている状態を示す外観斜視図、図５は、図３の施工手順に対応した打設方法を示す説明図である。
【００１１】
まず、図４により、内挿管１０の構成を説明する。
この内挿管１０は、複数の鋼管（パイプ）をジョイントして構成し、上端部に水中対応型の油圧バイブロハンマー１７とワイヤー１４にて連結するためのフック１３の取付部１１を設けてある。また内挿管１０の内部には、圧力配管２２を下端まで連結装備し、図示はしていないが、下端部では配管を分岐してレジューサを取付け、複数のウォータジェット用の噴射ノズルを形成させてある。さらに内挿管１０の上端部には、前記圧力配管２２の上端固定用のＵボルト１５の取付けブラケット１２を設け、圧力配管２２には、ジェットポンプからの圧力水供給用ホース１６を連結するものとした。なお、１８はクレーンにより吊下した水中対応型の油圧バイブロハンマー１７のチャックを示すものである。
【００１２】
次に、一次打込みが完了した後のこの発明による二次打込み方法の詳細を説明する。
まず、内挿管１０を取込み、クレーン船にて内挿管１０を吊り込む。そして、図３，図４，図５に示すように、次の施工手順で二次打込みを行って打設を完了させる。（なお、図５では、説明上、ウォータジェット用の配管の図示を▲４▼に示す以外は省略してある。）
▲１▼クレーンフック２１で吊下した水中対応型の油圧バイブロハンマー１７に、ワイヤー１４とチャック１８で内挿管１０を連結し、鋼管矢板杭１９に挿入して打下げる。
▲２▼内挿管１０を打止めし、水中対応型の油圧バイブロハンマー１７とウォータジェットを併用して鋼管矢板杭１９の上端まで内挿管１０を自沈させ、チャック１８を開く。
▲３▼水中対応型の油圧バイブロハンマー１７のチャック１８で内挿管１０と鋼管矢板杭１９を重ねチャッキングする。
▲４▼水中対応型の油圧バイブロハンマー１７とウォータジェットを併用し、所定位置まで水中打下げを行う。
▲５▼内挿管１０と鋼管矢板杭１９を打止めし、水中対応型の油圧バイブロハンマー１７のチャック１８を開く。
▲６▼水中対応型の油圧バイブロハンマー１７のチャック１８で内挿管１０のみをチャッキングする。
▲７▼水中対応型の油圧バイブロハンマー１７と内挿管１０を引上げ、内挿管１０を引抜き、二次打込みが完了する。（打設完了）
こうして、▲１▼へ戻り、繰り返して打設して行くのである。
【００１３】
【発明の効果】
この発明は、以上の説明から理解されるように、次のような効果を奏する。
〔１〕この発明では、鋼管矢板杭に直接ウォータジェット用の配管を設けない方式、つまりウォータジェット用の配管を施した前記鋼管矢板杭に挿入する内挿管方式で行うため、打設する全ての鋼管矢板杭にウォータジェット用の配管を設ける必要がなくなり、工費が安価となる。
〔２〕この発明は、鋼管矢板杭にウォータジェット用の配管を設けた挿入管を挿入し、水中対応型の油圧バイブロハンマーとウォータジェットを併用して打設する方法であるためにヤットコが不要となり、工程の短縮が可能となる。そのため、短工期で打設できる。
〔３〕この発明では、〔２〕で述べたように打設の際にヤットコを使用しないため、鋼管矢板杭の打設時の水中作業が不要になり、施工管理が容易となる。
【図面の簡単な説明】
【図１】この発明に先行して行う水中鋼管矢板杭の一次打込みを示す説明図である。
【図２】この発明の施工方法による二次打込みを示す説明図である。
【図３】この発明による鋼管矢板杭の二次打込みにおける施工手順を示すフロー図である。
【図４】一次打込みが完了した鋼管矢板杭に内挿管を挿入しようとしている状態を示す外観斜視図である。
【図５】図３の施工手順に対応した打設方法を示す説明図である。
【符号の説明】
１０・・・内挿管
１１・・・取付部（フック）
１２・・・取付けブラケット
１３・・・フック
１４・・・ワイヤー
１５・・・Ｕボルト
１６・・・圧力水供給用ホース
１７・・・水中対応型の油圧バイブロハンマー
１８・・・チャック
１９・・・鋼管矢板杭
２０・・・導材用杭
２１・・・クレーンフック
２２・・・圧力配管
Ｗ・・・水
Ｇ・・・地盤
【図１】
0003682123.tif 000002
【図２】
0003682123.tif 000003
【図３】
0003682123.tif 000004
【図４】
0003682123.tif 000005
【図５】
0003682123.tif 000006